(57)【特許請求の範囲】
【請求項１】
燃料電池（１）と、燃料供給手段（２）と、空気供給手段（３）とを備え、前記燃料供給手段（２）は、原燃料供給手段（４）と、その原燃料供給手段（４）と燃料電池（１）との間に配設された気化器（６）と、原燃料供給手段（４）から燃料電池（１）に連通する燃料供給管（２０）と、前記気化器（６）に改質用の水を供給する給水手段（５）とを備えた高温作動型燃料電池システムにおいて、前記気化器（６）と給水手段（５）とを連通する給水管（Ｌｗ）に貯水タンク（７）を介装し、その貯水タンク（７）に水蒸気パージ弁（８）を取り付け、その水蒸気パージ弁（８）は通電時には閉鎖され非通電時には前記貯水タンク（７）内部に貯えられた水が前記気化器（６）に移動することにより、該気化器（６）において水蒸気となり、該水蒸気により燃料極流路内の燃料をパージするために、大気側に開放する構成であり、前記燃料供給管（２０）の気化器（６）と燃料電池（１）との間には流速を調整するための絞り部（２２）が形成されており、そして水の流量を確保できるように前記貯水タンク（７）は内部の水面が気化器（６）より上方へ高さ（ｈ）を有する位置に配置されていることを特徴とする高温作動型燃料電池システム。
【請求項２】
前記気化器（６）に対する貯水タンク（７）の水面高さ（ｈ）は、
ρｇが水蒸気の密度、ρＬが水の密度、ｌが絞り部（２２）の流路長、ｄｖｅｎｔが絞り部（２２）のガス流路直径、ｄｃｅｌｌがセルアノード電極ガス流路直径、νが水蒸気の動粘性係数、ｇが重力加速度、Ｄが水蒸気と空気の相互拡散係数、ｘ０がアノード電極内空気拡散距離であるとき
ｈ≧３２（ρｇ／ρＬ）（ν・ｌ／ｇ）（ｄｃｅｌｌ２／ｄｖｅｎｔ４）（Ｄ／ｘ０）
なる関係にある請求項１の高温作動型燃料電池システム。
【発明の詳細な説明】
【技術分野】
【０００１】
本発明は、燃料電池、特に固体酸化物形燃料電池（ＳＯＦＣ）や溶融炭酸塩形燃料電池（ＭＣＦＣ）の様な高温作動型燃料電池において、緊急時に停止するための技術に関する。
【背景技術】
【０００２】
図３において、全体を符号２００で示す従来の高温作動型燃料電池システムは、燃料電池１と、燃料供給手段２と、空気供給手段３と、パージ用不活性ガス供給手段８０とを備えている。
燃料電池１は、全体が中空円筒形状に構成されている。燃料電池１の円筒形の中空部分は燃料極１ａとして作用し、円筒形の外周部（外側）は空気極１ｃとして作用する。
【０００３】
燃料供給手段２は、原燃料供給手段４と、給水ポンプ５と、気化器６と、燃料供給管２０とを備えている。
気化器６は、燃料供給管２０において、原燃料供給手段４と燃料電池１との間の領域に介装されている。
給水ポンプ５と気化器６とは、給水管Ｌｗによって連通している。
【０００４】
原燃料供給手段４は、例えば都市ガスが燃料ガスの場合には、都市ガスの本管に接続している。そして、原燃料供給手段４から供給される燃料ガスは、燃料供給管２０を介して、燃料電池１に供給される。
給水ポンプ５は、改質用の水を供給する部材であり、給水管Ｌｗを介して気化器６に水を供給する。
給水ポンプ５から供給された改質用の水は、気化器６において気化して水蒸気となる。そして、原燃料供給手段４から供給された燃料ガスと、気化器６で発生した水蒸気とが混合される。
【０００５】
空気供給手段３は、燃料電池１に空気を供給する部材である。
空気供給手段３は、空気供給管Ｌａにより、空気極１ｃと接続されている。
【０００６】
パージ用不活性ガス供給手段８０は、不活性ガス供給装置８２と、開閉弁８４を介装した不活性ガス供給管８６とで構成されている。
不活性ガス供給管８６は、燃料供給管２０における原燃料供給手段４と気化器６との間に連通している。パージ用不活性ガス供給手段８０は、停止時における危険防止のために、燃料供給手段２における空気と燃料ガスを追い出すべく、パージ用不活性ガスを燃料供給手段２の燃料供給管２０へ供給する。
【０００７】
高温作動型燃料電池システム２００を停止させる際に、燃料電池１の燃料極１ａに空気が進入すると、特に雰囲気温度が高温の場合には、著しく酸化が進行し、燃料電池１が劣化、破損する。
係る酸化、劣化、破損を防止するために、パージ用不活性ガスを燃料電池１（特に燃料極１ａ）に充填し、燃料極１ａに空気が進入するのを防止している。
【０００８】
パージ用のガスとしては、例えば窒素ガス、希ガス等の不活性ガスが用いられる（特許文献１参照）。そして、パージ用不活性ガス供給手段８０としては、ボンベ等に不活性ガスを貯蔵する装置（不活性ガス供給装置）８２が用いられる。
しかし、係る装置（ボンベ等を用いた装置）８２を使用した場合には、高温作動型燃料電池システム２００全体が大型化してしまうという問題がある。
また、ボンベ交換等の煩雑なメンテナンスが必要になってしまう。
さらに、希ガスは一般に高価であるため、係る希ガスをパージ用不活性ガスとして使用する場合には、高温作動型燃料電池システム２００の導入コストを増加させ、発電コストの上昇を惹起するという問題が存在する。
【０００９】
それに加えて、図３で示す従来の高温作動型燃料電池システム２００において、通常時における運転停止に際しては、予め設定された停止シーケンスに従って、燃料電池１の燃料極１ａに空気が進入するのを防止して、上述した酸化、劣化、破損が生じないようにしている。
それに対して、地震や停電の様な緊急時には、その様な停止シーケンスに従って停止することが出来ず、燃料電池１の燃料極１ａに空気が進入してしまうので、酸化、劣化、破損してしまう恐れが存在するのである。
【００１０】
その他の従来技術として、例えば、不活性ガスを充填したパージ用不活性ガス供給手段（ボンベ）を具備すると共に、燃料ラインに水蒸気を充填するシステムをも有する燃料電池システムが提案されている（特許文献２参照）。
しかし、係る燃料電池システム（特許文献２）では、電気的な制御を前提としているので、急な停電が発生した場合には、予め定めた停止シーケンスを実行できず、高温の燃料極に空気が進入して、酸化を進行せしめ、劣化、破損を惹起してしまう不都合が存在する。
燃料電池で発電した電気を用いて制御することが可能であったとしても、停電と燃料遮断とが同時に生じた場合には、燃料が遮断されているため、燃料電池システムで発電することが出来ず、商用電源も使用できないため、緊急停止のための制御を行うことが不可能である。
【特許文献１】特開２００４−２９６３９７号公報
【特許文献２】特開２００６−６６２４４号公報
【発明の開示】
【発明が解決しようとする課題】
【００１１】
本発明は上述した従来技術の問題点に鑑みて提案されたものであり、ボンベなどの不活性ガス貯蔵装置を必要とせず、急な停電や、停電と燃料遮断とが同時に生じた場合であっても、高温の燃料極に空気が進入して、酸化を進行せしめ、劣化、破損を惹起してしまうことを防止出来る様な高温作動型燃料電池システムの提供を目的としている。
【課題を解決するための手段】
【００１２】
本発明によれば、燃料電池（１）と、燃料供給手段（２）と、空気供給手段（３）とを備え、前記燃料供給手段（２）は、原燃料供給手段（４）と、その原燃料供給手段（４）と燃料電池（１）との間に配設された気化器（６）と、原燃料供給手段（４）から燃料電池（１）に連通する燃料供給管（２０）と、前記気化器（６）に改質用の水を供給する給水手段（給水ポンプ：５）とを備えた高温作動型燃料電池システムにおいて、前記気化器（６）と給水手段（５）とを連通する給水管（Ｌｗ）に貯水タンク（７）を介装し、その貯水タンク（７）に水蒸気パージ弁（８）を取り付け、その水蒸気パージ弁（８）は通電時には閉鎖され非通電時には前記貯水タンク（７）内部に貯えられた水が前記気化器（６）に移動することにより、該気化器（６）において水蒸気となり、該水蒸気により燃料極流路内の燃料をパージするために、大気側に開放する構成であり、前記燃料供給管（２０）の気化器（６）と燃料電池（１）との間には流速を調整するための絞り部（オリフィス：２２）が形成されており、そして水の流量が確保できるように前記貯水タンク（７）は内部の水面が気化器（６）より上方へ高さ（ｈ）を有する位置に配置されている。
【００１３】
そして、本発明において、前記気化器（６）に対する貯水タンク水面高さ（ｈ）は、
ρｇが水蒸気の密度、ρＬが水の密度、ｌが絞り部（２２）の流路長、ｄｖｅｎｔが絞り部（２２）のガス流路直径、ｄｃｅｌｌがセルアノード電極ガス流路直径、νが水蒸気の動粘性係数、ｇが重力加速度、Ｄが水蒸気と空気の相互拡散係数、ｘ０がアノード電極内空気拡散距離であるとき
ｈ≧３２（ρｇ／ρＬ）（ν・ｌ／ｇ）（ｄｃｅｌｌ２／ｄｖｅｎｔ４）（Ｄ／ｘ０）
なる関係にある。
【発明の効果】
【００１４】
上述する構成を具備する本発明によれば、停電により燃料電池（１）に供給するべき燃料或いは水が遮断された場合に、水蒸気パージ弁（８）が開放し貯水タンク（７）は大気と連通するので、大気圧が保持される。そのため、貯水タンク（７）内部は大気圧となる。
ここで、貯水タンク（７）内に貯蔵された水の水面が気化器（６）よりも上方（図１において符号「ｈ」）へ位置する様に配置されており、貯水タンク（７）内部の水は、気化器（６）よりも上方に存在する。そのため、気化器内部の燃料ガスが無くなり、気化器内部圧力が水の重力よりも低下すると、貯水タンク（７）内部の水は、下方に位置している気化器（６）に降下（滴下）する。
【００１５】
貯水タンク内部の水が気化器（６）に滴下されると、気化器（６）内部の熱により、当該滴下された水は気化して水蒸気となる。水蒸気が発生することにより、気化器（６）内部の圧力が上昇する。そして、気化器（６）内部で発生した水蒸気が燃料極（１ａ）側に流れて、燃料極（１ａ）を水蒸気雰囲気に保持する。
すなわち、停電時には、燃料極（１ａ）が高圧に保たれ、且つ、燃料極（１ａ）は水蒸気雰囲気に保持されるので、空気が燃料極（１ａ）内に進入する事が防止される。
【００１６】
本発明によれば、貯水タンク（７）内の全水量が気化器（６）に移動し、蒸発するまで、燃料極（１ａ）には空気が進入しない状態が維持される（燃料電池のパージが行われる）。
ここで、本発明による燃料電池のパージは、貯水タンク（７）が気化器（６）よりも上方にあるために作用する重力と、気化器（６）に残存する熱量とにより行われ、外部からの動力の供給は全く不要である。そのため、停電時において、燃料や水の供給が遮断されても、燃料電池（１）のパージを確実に実行して、燃料電池（１）の酸化、劣化、破損を防止することが出来る。
もちろん、燃料電池（１）への燃料或いは水の遮断と停電とが同時に生じたとしても、本発明によれば、気化器（６）から水蒸気が発生して燃料電池（１）のパージを確実に実行するので、燃料電池（１）の酸化、劣化、破損を防止することが出来る。
【発明を実施するための最良の形態】
【００１７】
以下、添付図面の図１を参照して、本発明の実施形態について説明する。
図１において、図３と同様な部材については、図３と同様な符号を付して説明する。
【００１８】
図１において、全体を符号１００で示す高温電池作動型燃料電池システムは、燃料電池１と、燃料供給手段２と、空気供給手段３とを備えている。
燃料電池１は、全体が中空円筒形状に構成されている。燃料電池１の円筒形の中空部分１ａは、燃料ガスが流れる部分であり燃料極１ａとして作用し、円筒形の外周部（外側：以下、「空気極」と記載する）１ｃには空気が流れる。
燃料電池１で使用されなかった燃料は、図１の符号１ｅの部分で空気と混じって燃焼する。
なお、図１では説明を簡略化するために、燃料電池１を１つのみ示しているが、実際には、燃料電池１が複数本装備されている場合もある。
【００１９】
燃料供給手段２は、原燃料供給手段４と、気化器６と、燃料供給管２０と、給水ポンプ５とを備えている。気化器６は、燃料供給管２０において、原燃料供給手段４と燃料電池１との間の領域に介装されている。
燃料供給管２０における気化器６と燃料電池１との間の領域には、絞り部（以下、「オリフィス」と記載する）２２が形成されている。
オリフィス２２については、後述する。
【００２０】
給水ポンプ５と気化器６とは、給水管Ｌｗによって連通している。給水管Ｌｗには、貯水タンク７が介装されている。貯水タンク７には、水蒸気パージ弁８が取り付けられている。
水蒸気パージ弁８は、電力が供給されている場合（通電時）には（大気側に）閉じており、電力が供給されていない場合（非通電時）には大気側に開放される様に構成されている。換言すれば、水蒸気パージ弁８は、いわゆるノルマルオープンタイプに構成されている。
【００２１】
原燃料供給手段４からは、燃料供給管２０を介して、燃料ガス（例えば都市ガス）が燃料電池１に供給される。給水ポンプ５は、改質用の水を貯水タンク７に供給する。
貯水タンク７は、貯水タンク７内の水面が、気化器６よりも上方に位置するように配置されている。図１、図２において、貯水タンク７内の水面と気化器６との垂直方向位置（高さ）の差は、符号「ｈ」で示されている。
気化器６では、貯水タンク７から供給される水を気化して水蒸気にせしめ、その水蒸気を燃料供給管２０から供給される燃料ガスと混合している。
【００２２】
空気供給手段３は、空気供給管Ｌａを介して、燃料電池１の空気極１ｃと連通しており、空気極１ｃに空気を供給するように構成されている。
【００２３】
気化器６と燃料電池１とを連通する領域は、ケーシング９で囲まれている。
気化器６の下方にはドレンラインＬｄが接続され、気化器６内に溜まった水をケーシング９外に排出するように構成されている。ケーシング９外のドレンラインＬｄには、ドレンバルブ１０が介装されている。ドレンバルブ１０は、ドレン抜き以外では、閉鎖されている。
【００２４】
上述した様に、燃料電池システムでは、（例えば地震の場合等において）燃料の供給が停止され、燃料極に空気が侵入することを防止する必要がある。燃料極に空気が侵入すると、特に燃料電池が高温の場合には、酸化が著しく、劣化、破損が進行するからである。そして、燃料極に空気が入らないようにするため、パージする必要がある。
図示の実施形態においては、従来技術で用いられているパージ用不活性ガス供給手段（図３の符号８０を参照）は存在しない。
【００２５】
給水ポンプ５から気化器６までの間の部材（貯水タンク７及び水蒸気パージ弁８）が、図示の実施形態に係る発明の特徴的な部分である。
そして、給水ポンプ５から気化器６までの間の部材（貯水タンク７及び水蒸気パージ弁８）が、図示の実施形態において、燃料極１ａに空気が入らない様にパージを行う構成である。
【００２６】
図１で示す高温電池作動型燃料電池システム１００において、通常の運転では、図３で示す従来技術と同様な運転が行われる。
通常運転では、原燃料供給手段４から燃料供給管２０を介して、燃料ガス（例えば都市ガス）が、燃料電池１に供給される。また、通常の給水状態（通電時）では、蒸気パージ弁８は閉じており、給水ポンプ５から供給された改質用の水は、貯水タンク７を経由して、そのまま気化器６内に進入する。
【００２７】
気化器６では、給水ポンプ５から供給された改質用の水が気化して水蒸気となり、原燃料供給手段４から供給された燃料ガスと水蒸気とが混合される。燃料ガスと水蒸気との混合ガスは、燃料電池１の燃料極１ａに流入する。一方、空気供給手段３から供給された空気は、空気供給ラインＬａを経由して、燃料電池１の空気極１ｃに流入する。
【００２８】
停電時には、給水ポンプ５が停止して、外部から高温作動型燃料電池システム１００には水が供給されない。
また、停電時には、例えば燃料ガスの都市ガスの場合であれば本管側で供給を停止するので、燃料ガスは燃料供給手段４に供給されず、高温作動型燃料電池システム１００に対する燃料供給は停止する。
【００２９】
ここで、停電時において、高温作動型燃料電池システム１００に対する水及び燃料の供給が停止した場合に、燃料電池１の燃料極終端部分１ｅから、燃料極１ａに空気が進入してしまう可能性がある。
しかし、図示の実施形態では、以下に述べる様に、気化器６内部で水蒸気を発生して、燃料極内の燃料極流路内の燃料ガスをパージすることが出来る。
【００３０】
図示の実施形態によれば、停電時には水蒸気パージ弁８が開放され、貯水タンク７内部は外部と連通するので、貯水タンク７内の圧力は大気圧が保持される。
ここで、図１において符号「ｈ」で示されている様に、貯水タンク７内部に貯えられた水のレベルは、気化器６に対して、常に上方に位置している。
停電時において、燃料供給手段４から燃料ガスが供給されなくなり、給水ポンプ５が停止すると、気化器６内部の残留燃料が燃料電池１へ少しずつ流れて行き、気化器６内部の圧力が徐々に低下する。
上述した様に、停電した場合には蒸気パージ弁８は大気に開放されているので、気化器６内部圧力と大気圧の差が水の重力よりも小さくなると、外部から動力を供給しなくても、貯水タンク７内の水は気化器６に移動或いは落下（滴下）する。貯水タンク７内の水が気化器６内に落下すると、気化器６内部の熱により、直ちに気化して水蒸気が発生する。水蒸気の発生により、気化器６内部の圧力は上昇する。
【００３１】
気化器６内部の圧力が昇圧すると、気化器６で発生した水蒸気は燃料極１ａ側に流れて、燃料極１ａを水蒸気雰囲気に保持する。また燃料極終端部１ｅにおいて、水蒸気が燃料極１ａから流れ出てくるため、空気が燃料極１ａ内へ進入してしまうことが阻止される。すなわち、パージが行われるのである。
【００３２】
ここで、燃料電池１と気化器６との間にオリフィス２２を設けることにより、水蒸気が燃料電池１に流れていく速度を調整することが可能となる様に構成される。
明確には図示されていないが、オリフィス２２は、絞り率を自在に変更することが出来る可変オリフィスとすることが望ましい。
【００３３】
水蒸気がある程度流れ出し、気化器６の圧力が低下してくると、気化器６の上方（距離「ｈ」）の貯水タンク７から、再び水が落下（滴下）し、気化器６において水蒸気が生成される。
この作用は、気化器６の温度が下がり、水蒸気が生成されなくなるまで繰り返される。そして、気化器６の温度が下がり、水蒸気が生成されなくなるまでには、燃料電池１は、燃料極１ａが酸化あるいは劣化しなくなる温度（例えば４００度）まで、温度降下する。
すなわち、図１の高温作動型燃料電池システム１００によれば、燃料電池１が酸化あるいは劣化しなくなる温度（例えば４００度）に温度降下するまでの間、水蒸気を供給し続けることが可能となる。
【００３４】
ここで、停電時に水蒸気パージ弁８が開放しないと、給水ポンプ５が停止するので、貯水タンク７内の圧力が大気圧以下になってしまう恐れがある。そして、貯水タンク７内の圧力が大気圧以下になってしまうと、貯水タンク７の位置が気化器６よりも上方に位置していても、気化器６の圧力は大気圧以上であるため、貯水タンク７の水が気化器６に落下（滴下）しなくなる。
貯水タンク７の水が気化器６に落下（滴下）しなければ、気化器６内に水蒸気は発生せず、燃料極１ａ内に水蒸気を充填して、水蒸気雰囲気に保持することは出来なくなってしまう。
そのような事態を防止するため、水蒸気パージ弁８は、ノルマルオープンタイプに構成されているのである。
【００３５】
図１で示す高温作動型燃料電池システム１００では、貯水タンク７内の全水量が落下（して、気化器６で蒸発）するまで、燃料極１ａ内に水蒸気を充填して、水蒸気雰囲気に保持し、以って、燃料極１ａに空気が進入しないようにしている（燃料電池をパージしている）。
図１の高温作動型燃料電池システム１００における係るパージは、貯水タンク７が気化器６よりも上方（符号「ｈ」）にあるため貯水タンク７内の水に作用する重力と、気化器６に残存する熱量とにより行われる。外部からの動力の供給は全く不要である。
そのため、電力供給が遮断され（停電時）、水及び／又は燃料の供給が遮断されても、気化器６から水蒸気が発生して燃料電池１のパージを確実に実行し、燃料電池１の酸化、劣化、破損を防止することが出来る。
【００３６】
次に上述した高温作動型燃料電池システム１００において、停電時において、燃料及び／又は水の供給が遮断された場合に、燃料電池１のパージを確実に行うために、貯水タンク７内の水面の気化器６に対する高さｈが、どの程度あれば良いのかについて説明する。
換言すれば、図１において、符号ｈで示す寸法（貯水タンク内の水面の気化器Ｂ３に対する高さ）の設定について、図２を参照して説明する。
【００３７】
先ず、水蒸気の物性値を下記で定義する。
ρ(ｌ)：密度（水）
ρ(ｇ)：密度（水蒸気）
ν：動粘性係数（水蒸気）
Ｄ：相互拡散係数（水蒸気−空気）（水蒸気が空気中にどの程度拡散するのかと、空気が水蒸気中にどの程度拡散するのかを示す係数）
ｇ：重力加速度
【００３８】
各温度におけるこれら定数の値（物性値）は、下表１のものを用いる（出典：流体の熱物性値表、日本機会学会）。
0005241157.tif 000002
【００３９】
図１で示す高温作動型燃料電池システム１００において、下記寸法を定義する。
ｈ：気化器に対する貯水タンク水面の高さ
Ｖ：貯水タンク容量
Ｐ：気化器内部圧力
Ｖｃｅｌｌ：燃料電池アノード内水蒸気流速
Ｖｖｅｎｔ：絞り部内水蒸気流速
ｄｃｅｌｌ：セルアノード電極ガス流路直径
ｄｖｅｎｔ：絞り部ガス流路直径
ｌ：絞り部流路長
Ｔ：燃料電池温度
【００４０】
図１において、絞り部２２の直径（絞り部ガス流路直径）ｄｖｅｎｔがセルアノード電極ガス流路直径ｄｃｅｌｌよりも十分小さいと仮定すると、燃料系統の圧損は、ほぼ絞り部２２で決定される。そのため、圧損Ｐは、絞り部２２の寸法と、水蒸気の物性値により、式（１）で表すことが出来る。
0005241157.tif 000003
絞り部２２の温度と燃料電池１の温度が同一と仮定すれば、絞り部２２内の流速（Ｖｖｅｎｔ）は、式（２）で表される。
0005241157.tif 000004
【００４１】
式（１）と式（２）より、次の式（３）が成り立つ。
0005241157.tif 000005
また、水面高さと気化器６内部の圧力より、式（４）が成り立つ。
Ｐ＝ρｌ・ｇ・ｈ          式（４）
式（３）、式（４）より、式（５）が成り立つ。
0005241157.tif 000006
【００４２】
次に、アノード電極出口部分の空気拡散距離を考える。
ガスの拡散速度は、通常、濃度勾配と拡散係数の積であり、次式（６）で表される。
0005241157.tif 000007
アノード電極出口部分からの位置を図２（Ａ）のＸ軸で示す様に考えた場合に、アノード電極出口近傍における空気濃度が、図２（Ｂ）で示す様に、アノード電極出口部分からの距離に対して直線的に変化する（空気濃度勾配が直線である）と仮定する。係る仮定に従えば、アノード電極内の空気拡散距離ｘ０（図２（Ｂ）参照）と、燃料電池アノード内水蒸気流速Ｖｃｅｌｌとの関係は、次式（７）で表現される。
0005241157.tif 000008
式（５）、式（７）より、次式（８）が成り立つ
0005241157.tif 000009
【００４３】
セルアノード電極ガス流路直径ｄｃｅｌｌと、絞り部ガス流路直径ｄｖｅｎｔとを、次の様に仮定する。
ｄｃｅｌｌ＝０．０５（ｍ）
ｄｖｅｎｔ＝０．００３（ｍ）
ｌ＝０．１（ｍ）
また、アノード電極出口部分の空気拡散距離ｘ０を５ｍｍと仮定する（ｘ０＝０．００５ｍ）。
式（８）に対して、表１の物性値と上述した仮定を適用し、各温度において必要な水面高さｈと、その際の水の流量Ｑを計算すると、下表２で示す様になる。
図１で示す高温作動型燃料電池システム１００において、貯水タンク７の設計においては、各温度について、下表２で示す以上の水面高さｈが確保出来るように、タンク７の形状や設置箇所を決定する必要がある。
0005241157.tif 000010
【００４４】
図示の実施形態はあくまでも例示であり、本発明の技術的範囲を限定する趣旨の記述ではない旨を付記する。
【図面の簡単な説明】
【００４５】
【図１】本発明の実施形態を示すブロック図。
【図２】アノード電極出口近傍における空気濃度勾配を表現する図。
【図３】従来技術を示すブロック図。
【符号の説明】
【００４６】
１・・・燃料電池装置／燃料電池
２・・・燃料供給手段
３・・・空気供給手段
４・・・原燃料供給手段
５・・・給水手段／給水ポンプ
６・・・気化器
７・・・貯水タンク
８・・・蒸気パージ弁
１０・・・ドレンバルブ
１００・・・高温作動型燃料電池システム
【図１】
0005241157.tif 000011
【図２】
0005241157.tif 000012
【図３】
0005241157.tif 000013